(57)【要約】【課題】漏電遮断器が落ちた場合の復旧を誰でも容易に行ない得るようにすること。【解決手段】リモコン２０１とこのリモコン２０１から受信した遠隔制御信号に応じて安全ブレーカ１０３と漏電遮断器１０４とを自動入り切りする分電盤１０１との間で、（１）リモコン２０１にて、漏電遮断器１０４の復旧を指示する遠隔操作に応じて、復旧のための複数工程からなる操作手順を当該操作が一工程なされる毎に順に報知し、かつ、当該一工程の操作に応じた復旧用の遠隔制御信号を分電盤１０１に無線出力し、（２）分電盤１０１にて、受信した復旧用の遠隔制御信号に応じた動作を実行してその結果をセンシングし、当該センシング結果をリモコン２０１に無線出力し、（３）リモコン２０１にて、漏電遮断器１０４が落ちた原因を含まないセンシング結果を受信した場合には操作手順の報知を続行し、落ちた原因を含むセンシング結果を受信した場合にはその旨を報知する。【選択図】図１
2011182532.tif 000002
【特許請求の範囲】
【請求項１】
遠隔操作に応じて遠隔制御信号を無線出力するリモコンと、
受信した前記遠隔制御信号に応じて安全ブレーカと漏電遮断器とを自動入り切りする分電盤と、
を備え、
前記リモコンの情報処理部は、前記漏電遮断器の復旧を指示する遠隔操作がなされた場合、前記漏電遮断器を復旧させるための複数工程からなる操作手順を当該操作が一工程なされる毎に順に報知し、かつ、当該一工程の操作に応じた復旧用の遠隔制御信号を前記分電盤に無線出力し、
前記分電盤の情報処理部は、受信した前記復旧用の遠隔制御信号に応じた動作を実行してその結果をセンシングし、当該センシング結果を前記リモコンに無線出力し、
前記リモコンの情報処理部は、前記漏電遮断器が落ちた原因を含まない前記センシング結果を受信した場合には前記操作手順の報知を続行し、前記漏電遮断器が落ちた原因を含む前記センシング結果を受信した場合にはその旨を報知する、
ことを特徴とするリモコン分電盤システム。
【請求項２】
前記リモコンの情報処理部は、前記漏電遮断器が落ちた原因を含む前記センシング結果を受信した場合には、その対応策も併せて報知する、ことを特徴とする請求項１に記載のリモコン分電盤システム。
【請求項３】
前記リモコンでの前記一工程の操作は、手動によってなされる、ことを特徴とする請求項１または２に記載のリモコン分電盤システム。
【請求項４】
前記リモコンでの前記一工程の操作は、自動によってなされる、ことを特徴とする請求項１または２に記載のリモコン分電盤システム。
【請求項５】
前記リモコンの情報処理部は、前記リモコンでの前記一工程の操作を自動で行ったことに応じて、その操作内容を報知する、請求項４に記載のリモコン分電盤システム。
【請求項６】
前記リモコンの情報処理部は、前記安全ブレーカの復旧を指示する遠隔操作がなされた場合、当該安全ブレーカのステータス確認用の信号を前記分電盤に無線出力し、
前記分電盤の情報処理部は、受信した前記ステータス確認用の信号に応じて当該安全ブレーカのステータス確認を実行し、当該確認結果を前記リモコンに無線出力し、
前記リモコンの情報処理部は、当該安全ブレーカが落ちていないとする確認結果を受信した場合にはその旨を報知し、当該安全ブレーカが落ちているとする確認結果を受信した場合には当該安全ブレーカが担当する分電領域を報知する、
ことを特徴とする請求項１ないし５のいずれか一に記載のリモコン分電盤システム。
【発明の詳細な説明】
【技術分野】
【０００１】
本発明は、遠隔操作可能な分電盤とこの分電盤を遠隔操作するためのリモコンとからなるシステムに係り、特に、リモコンと分電盤との間で対話形式のガイダンス操作を進めていくことができるリモコン分電盤システムに関する。
【背景技術】
【０００２】
住宅用の分電盤は、通常、漏電遮断器および安全ブレーカを備え、専用の箱に入れられて一箇所に設置されている。このような分電盤は、屋内の各場所へ配線されている電気を回路別に管理し、漏電遮断器によって各回路の漏電を検知している。各回路を使用している電気機器の電気使用量が限界値を超えるまで増大すると、その回路に割り当てられている安全ブレーカが自動動作してその回路に停電を発生させる。また、漏電が発生した場合には、漏電遮断器が自動動作して全回路に停電を発生させる。このように個々の回路または全回路に停電状態が発生した場合には、その原因を取り除いてから復旧させる必要がある。復旧に際しては、安全ブレーカまたは漏電遮断器を手動操作によってオン側に切り替える。
【０００３】
これに対して、従来、遠隔操作によって入り切り操作が可能なリモートコントロール式のブレーカがある（例えば、特許文献１参照）。このようなブレーカを家庭用の分電盤に用いれば、安全ブレーカまたは漏電遮断器それ自体を手動操作することなく、リモコンでの遠隔操作が可能となる。分電盤は、その位置が分かりにくかったり、高所にあって操作が大変であったり、あるいは、暗くて見えにくい場所に設置されていたりすることが通例であることから、安全ブレーカまたは漏電遮断器の遠隔操作は、大変にありがたい仕組みであると云える。
【０００４】
これに加えて、特許文献２は、ブレーカの動作状態をＬＥＤ点滅、ブザー、音声ガイド機能によって使用者に知らせたり、ブレーカを電話で遠隔操作可能としたり等、ブレーカのより便利な機能を紹介している。
【先行技術文献】
【特許文献】
【０００５】
【特許文献１】特開平０８−２６４０９７号公報
【特許文献２】特開平１０−２６２３２９号公報
【発明の概要】
【発明が解決しようとする課題】
【０００６】
分電盤において、安全ブレーカが自動動作して落ちた場合は、その回路を使用している電気機器の電気使用量が多いだけなので、これを是正して該当回路の安全ブレーカをオンにすればよい。これに対して、漏電遮断器が落ちた場合は些か厄介である。安全上、漏電が発生している回路を特定してその原因を取り除く必要があるからである。より詳細には、漏電遮断器が落ちた場合、全ての安全ブレーカをオフにした後、漏電遮断器をオンにし、その後、安全ブレーカを一つずつオンにしていく。このとき、漏電が発生している回路に割り当てられている安全ブレーカがオンになると、漏電遮断器が自動動作して停電状態が発生する。これにより、その回路を使用している電気機器またはその回路自体に漏電が発生していることが分かる。
【０００７】
ところが、漏電遮断器が落ちた場合の上記復旧方法は、一般的にはあまり知られていない。このため、たとえ漏電遮断器や安全ブレーカを遠隔操作できたとしても（特許文献１、２参照）、あるいは、ブレーカの動作状態報知がなされたとしても（特許文献２参照）、漏電遮断器が落ちた場合には、その対処方法に戸惑うことになる。
【０００８】
本発明は、このような点に鑑みなされたもので、漏電遮断器が落ちた場合の復旧を誰でも容易に行なうことができるようにすることを目的とする。
【課題を解決するための手段】
【０００９】
本発明のリモコン分電盤システムは、遠隔操作に応じて遠隔制御信号を無線出力するリモコンと、受信した前記遠隔制御信号に応じて安全ブレーカと漏電遮断器とを自動入り切りする分電盤と、を備え、
（１）前記リモコンの情報処理部は、前記漏電遮断器の復旧を指示する遠隔操作がなされた場合、前記漏電遮断器を復旧させるための複数工程からなる操作手順を当該操作が一工程なされる毎に順に報知し、かつ、当該一工程の操作に応じた復旧用の遠隔制御信号を前記分電盤に無線出力し、
（２）前記分電盤の情報処理部は、受信した前記復旧用の遠隔制御信号に応じた動作を実行してその結果をセンシングし、当該センシング結果を前記リモコンに無線出力し、
（３）前記リモコンの情報処理部は、前記漏電遮断器が落ちた原因を含まない前記センシング結果を受信した場合には前記操作手順の報知を続行し、前記漏電遮断器が落ちた原因を含む前記センシング結果を受信した場合にはその旨を報知する、
ことによって上記課題を解決するようにした。
【発明の効果】
【００１０】
本発明によれば、漏電遮断器が落ちた場合、リモコンと分電盤との間で対話形式のガイダンス操作を進めていくことで、その復旧を誰でも容易に行ない得るようにできる。
【図面の簡単な説明】
【００１１】
【図１】実施の一形態を示す分電盤とリモコンとからなるリモコン分電盤システムの外観正面図。
【図２】分電盤のハードウェア構成を示すブロック図。
【図３】リモコンのハードウェア構成を示すブロック図。
【図４】リモコンのプロセッサが実行する処理の流れを示すフローチャート。
【図５】分電盤のプロセッサが実行する処理の流れを示すフローチャート。
【図６】リモコンのプロセッサが実行するナビゲーション処理の流れを示すフローチャート。
【発明を実施するための形態】
【００１２】
実施の一形態を図面に基づいて説明する。
【００１３】
図１は、分電盤１０１とリモコン２０１とからなるリモコン分電盤システム１１の外観正面図である。本実施の形態では、リモコン２０１の遠隔操作によって分電盤１０１を動作制御することができる。このような動作制御のために、分電盤１０１およびリモコン２０１の双方には、情報処理部としての制御部１５１、２５１が設けられている（図２、図３参照）。
【００１４】
分電盤１０１は、屋内の各場所へ配線されている電気を回路別に管理可能な回路構成を有している。このような分電盤１０１は、サービスブレーカ１０２、安全ブレーカ１０３、および漏電遮断器１０４を備えている。サービスブレーカ１０２は、全体として契約を超えた電気使用がなされた場合に自動動作して停電させる遮断器である。安全ブレーカ１０３は、分電盤１０１が分配している回路毎に設けられている遮断器であり、各回路を使用している電気機器の電気使用量が限界値を超えるまで増大すると、その回路に割り当てられている安全ブレーカ１０３が自動動作してその回路を停電させる。図１に示す一例では、６回路分の安全ブレーカ１０３が設けられている。漏電遮断器１０４は、何処かに漏電が発生している場合に自動動作して全回路を停電させる遮断器である。漏電遮断器１０４は、一例として、１５〜３０Ａ程度の漏電が発生すると自動動作する。
【００１５】
リモコン２０１は、サービスボタン２０２、安全ボタン２０３、漏電ボタン２０４、および通信ボタン２０５からなる各種の操作ボタンＢを備え、ディスプレイ２０６、このディスプレイ２０６に積層配置されたタッチパネル２０７、およびスピーカ２０８を備えている。
【００１６】
サービスボタン２０２は、サービスブレーカ１０２の入り切りを遠隔操作するための操作ボタンＢである。安全ボタン２０３は、安全ブレーカ１０３の入り切りを遠隔操作するための操作ボタンＢである。分電盤１０１は、安全ブレーカ１０３を６個用意しているので、リモコン２０１の制御部２５１（図３参照）は、安全ボタン２０３の押下とタッチパネル２０７でのタッチ操作との組み合わせ入力により、どの安全ブレーカ１０３を入り切りさせるのかを決定する。漏電ボタン２０４は、漏電遮断器１０４の入り切りを遠隔操作するための操作ボタンＢである。通信ボタン２０５は、電力会社に通報連絡をするための操作ボタンＢである。
【００１７】
ディスプレイ２０６は、需要家であるユーザに各種のガイダンス情報を提供する。タッチパネル２０７は、ディスプレイ２０６の表示と協働し、操作ボタンＢでは賄えない操作入力をするために用意されている。本リモコン分電盤システム１１は、リモコン２０１と分電盤１０１との間で対話形式のガイダンス操作を進めていく仕組みを構築しているので、ディスプレイ２０６およびタッチパネル２０７は、このような対話形式のガイダンス操作を支援する重要な役割を担っている。そして、対話形式のガイダンス操作の支援に一役買うのが、スピーカ２０８である。リモコン２０１は、後述する音声ユニット２５２で合成した音声をスピーカ２０８から出力させ、ユーザに各種の情報やガイダンスを提供する。
【００１８】
図２は、分電盤１０１のハードウェア構成を示すブロック図である。分電盤１０１の制御部１５１は、一例として、メモリを有するデジタル回路によって構成され、集積回路に予め書き込まれているプロセスを実行する。このような制御部１５１には、サービスブレーカ１０２、安全ブレーカ１０３、および漏電遮断器１０４を動作させるためのアクチュエータ１５２と、センサ１５３と、無線ユニット１５４と、通信ユニット１５５とが接続されている。
【００１９】
前述したサービスブレーカ１０２、安全ブレーカ１０３、および漏電遮断器１０４をオフにする自動動作は、バイメタル等の機械的な動作であるのに対して、アクチュエータ１５２は、そのような自動動作機構とは別に設けられたもので、サービスブレーカ１０２、安全ブレーカ１０３、および漏電遮断器１０４を強制的に入り切りさせる。制御部１５１は、アクチュエータ１５２を駆動制御して、それらのサービスブレーカ１０２、安全ブレーカ１０３、および漏電遮断器１０４の入り切りを制御する。
【００２０】
センサ１５３は、サービスブレーカ１０２、安全ブレーカ１０３、および漏電遮断器１０４の入り切り状態、各回路に生じている漏電状態等の各種状態をセンシングする。制御部１５１は、センサ１５３の出力を取り込むことによって各部の状態をモニタすることができる。
【００２１】
無線ユニット１５４は、リモコン２０１との間で無線通信を実現させるためのユニットである。無線ユニット１５４は、一例として、数メートル程度の無線通信機能をサポートしている。別の一例として、離隔位置からリモコン２０１によって分電盤１０１を制御するようにシステム構築する場合には、無線ユニット１５４にＰＨＳ機能や携帯電話機能を別途に持たせる必要がある。このようにシステム構築しておけば、分電盤１０１が設置されている家屋から遠く離れた場所からでも、リモコン２０１による分電盤１０１の遠隔操作が可能になる。
【００２２】
通信ユニット１５５は、一例として、電力会社と通信線（図示せず）を介して有線接続されており、電力会社に通報連絡をするためのユニットである。制御部１５１は、直接的または間接的に本リモコン分電盤システム１１を使用する需要家を特定する識別情報、例えば顧客番号、リモコン分電盤システム１１のシステム番号等をメモリに記憶している。そして、需要家であるユーザがリモコン２０１で通信ボタン２０５を押下した場合、分電盤１０１の通信ユニット１５５によって上記需要家の識別情報を伴う通報連絡を電力会社に行なう。
【００２３】
図３は、リモコン２０１のハードウェア構成を示すブロック図である。リモコン２０１の制御部２５１は、一例として、メモリを有するデジタル回路によって構成され、集積回路に予め書き込まれているプロセスを実行する。このような制御部２５１には、前述したディスプレイ２０６、タッチパネル２０７、操作ボタンＢ、および音声ユニット２５２が接続され、さらに、無線ユニット２５３も接続されている。これらの各部は、制御部２５１によって制御され、所期の機能を発揮する。
【００２４】
ここで、音声ユニット２５２は、音声合成ＬＳＩとデジタルアナログ変換器と増幅回路とを内蔵する集積回路であり（全て図示せず）、音声合成ＬＳＩで生成した合成音声をデジタルアナログ変換器でアナログ信号に変換し、増幅回路に接続されたスピーカ２０８から人間が視聴可能な音声として出力するユニットである。
【００２５】
また、無線ユニット２５３は、分電盤１０１との間で無線通信を実現させるためのユニットである。無線ユニット２５３は、一例として、数メートル程度の無線通信機能をサポートしている。別の一例として、離隔位置からリモコン２０１によって分電盤１０１を制御するようにシステム構築する場合には、無線ユニット２５３にＰＨＳ機能や携帯電話機能を別途に持たせる必要がある。このようにシステム構築しておけば、分電盤１０１が設置されている家屋から遠く離れた場所からでも、リモコン２０１による分電盤１０１の遠隔操作が可能になる。
【００２６】
以上のようなシステム構成の下、本リモコン分電盤システム１１は、前述したように、リモコン２０１と分電盤１０１との間で対話形式のガイダンス操作を進めていく仕組みを構築している。このような対話形式のガイダンス操作は、分電盤１０１の制御部１５１とリモコン２０１の制御部２５１との処理によって実現されるので、以下、そのような処理内容について説明していく。
【００２７】
図４は、リモコン２０１の制御部２５１が実行する処理の流れを示すフローチャートである。リモコン２０１の制御部２５１は、操作ボタンＢによるボタン入力の有無の判定に待機しており（ステップＳ２０１）、ボタン入力を判定すると（ステップＳ２０１のＹ）、それがサービスボタン２０２なのか（ステップＳ２０２）、安全ボタン２０３なのか（ステップＳ２０３）、漏電ボタン２０４なのか（ステップＳ２０４）、それとも通信ボタン２０５なのか（ステップＳ２０５）、を判定する。制御部２５１は、いずれの操作ボタンＢの判定もできなければ（ステップＳ２０５のＮ）、エラー検出であるのでエラー処理を実行する（ステップＳ２０６）。
【００２８】
図５は、分電盤１０１の制御部１５１が実行する処理の流れを示すフローチャートである。分電盤１０１の制御部１５１は、リモコン２０１からの信号受信の有無判定に待機しており（ステップＳ１０１）、信号受信を判定すると（ステップＳ１０１のＹ）、それがステータス要求なのか（ステップＳ１０２）、駆動指令なのか（ステップＳ１０３）、それとも通信指令なのか（ステップＳ１０４）、を判定する。制御部１５１は、受信した信号がいずれでもなければ（ステップＳ１０４のＮ）、その他の処理を実行する（ステップＳ１０５）。
【００２９】
以下、図４に示すリモコン２０１の制御部２５１が実行する処理と図５に示す分電盤１０１の制御部１５１が実行する処理とを交えながら説明していく。
【００３０】
図４に示すように、リモコン２０１の制御部２５１は、サービスボタン２０２の押下を判定すると（ステップＳ２０２のＹ）、ステータス確認を実行する（ステップＳ２０７）。この処理は、分電盤１０１に対して、サービスブレーカ１０２のステータス確認を要求し、この要求に応じた分電盤１０１からの返信を受信する処理である。
【００３１】
図５に示すように、分電盤１０１の制御部１５１は、ステータス要求の受信を判定すると（ステップＳ１０２のＹ）、そのステータス要求に含まれている対象物（ここではサービスブレーカ１０２）についての対応するステータスを検出し、その結果をリモコン２０１に返信する（ステップＳ１０６）。この場合、制御部１５１は、センサ１５３のセンシングによってステータス検出を実行するので、リモコン２０１に対する返信はセンサ１５３のセンシング結果ということになる。
【００３２】
図４に示すように、リモコン２０１の制御部２５１は、分電盤１０１から返信を受信すると（ステップＳ２０７）、案内画面を表示する（ステップＳ２０８）。この場合の案内画面が提供するのは、分電盤１０１から返信されたセンサ１５３のセンシング結果に応じたガイダンスである。ガイダンスは、例えば、契約を超えた電気使用がなされたためにサービスブレーカ１０２がオフになっている、というセンサ１５３のセンシング結果を受けて、「ご使用になられた電気機器の電気使用量が契約範囲を超えています。一部の電気機器をご使用になられないようにして、タッチパネルで実行を指定してください。電気契約の変更については、０８２−２４６−××××番までご連絡ください。」等の内容をディスプレイ２０６に表示したり、音声ユニット２５２によってスピーカ２０８から音声出力したりする。
【００３３】
図４に示すように、リモコン２０１の制御部２５１は、実行指定を判定すると（ステップＳ２０９のＹ）、駆動処理を実行し（ステップＳ２１０）、処理を終了する。駆動処理は、無線ユニット２５３によって、サービスブレーカ１０２をオンにするための駆動指令を分電盤１０１に無線出力する処理である。
【００３４】
図５に示すように、分電盤１０１の制御部１５１は、駆動指令の受信を判定すると（ステップＳ１０３のＹ）、その駆動指令に含まれている対象物（ここではサービスブレーカ１０２）の対応するアクチュエータ１５２を駆動し、処理を終了する。これにより、分電盤１０１のサービスブレーカ１０２をオフからオンに切り替えることができる。
【００３５】
次いで、図４に示すように、リモコン２０１の制御部２５１は、安全ボタン２０３の押下を判定すると（ステップＳ２０３のＹ）、ディスプレイ２０６に安全ブレーカ１０３の番号入力画面を表示する（ステップＳ２１１）。この画面は、タッチパネル２０７でのタッチ指定によって、安全ブレーカ１０３の番号の入力を可能にするための画面である。制御部２５１は、タッチパネル２０７での番号指定を判定すると（ステップＳ２１２のＹ）、ステータス確認を実行する（ステップＳ２１３）。この処理は、分電盤１０１に対して、指定された番号の安全ブレーカ１０３のステータス確認を要求し、この要求に応じた分電盤１０１からの返信を受信する処理である。
【００３６】
図５に示すように、分電盤１０１の制御部１５１は、ステータス要求の受信を判定すると（ステップＳ１０２のＹ）、そのステータス要求に含まれている対象物（ここでは該当番号の安全ブレーカ１０３）についての対応するステータスを検出し、その結果をリモコン２０１に返信する（ステップＳ１０６）。この場合、制御部１５１は、センサ１５３のセンシングによってステータス検出を実行するので、リモコン２０１に対する返信はセンサ１５３のセンシング結果ということになる。
【００３７】
図４に示すように、リモコン２０１の制御部２５１は、分電盤１０１から返信を受信すると（ステップＳ２１３）、案内画面を表示する（ステップＳ２１４）。この場合の案内画面が提供するのは、分電盤１０１から返信されたセンサ１５３のセンシング結果に応じたガイダンスである。ガイダンスは、例えば、許容アンペア契約を超えた電気使用がなされたために××番の安全ブレーカ１０３がオフになっている、というセンサ１５３のセンシング結果を受けて、「××付近でご使用になられた電気機器の電気使用量が許容範囲を超えています。その付近における一部の電気機器をご使用になられないようにして、タッチパネルで実行を指定してください。」等の内容をディスプレイ２０６に表示したり、音声ユニット２５２によってスピーカ２０８から音声出力したりする。
【００３８】
図４に示すように、リモコン２０１の制御部２５１は、実行指定を判定すると（ステップＳ２１５のＹ）、駆動処理を実行し（ステップＳ２１６）、処理を終了する。駆動処理は、無線ユニット２５３によって、該当番号の安全ブレーカ１０３をオンにするための駆動指令を分電盤１０１に無線出力する処理である。
【００３９】
図５に示すように、分電盤１０１の制御部１５１は、駆動指令の受信を判定すると（ステップＳ１０３のＹ）、その駆動指令に含まれている対象物（ここでは××番の安全ブレーカ１０３）の対応するアクチュエータ１５２を駆動し、処理を終了する。これにより、分電盤１０１の××番の安全ブレーカ１０３をオフからオンに切り替えることができる。
【００４０】
次いで、リモコン２０１の制御部２５１は、漏電ボタン２０４の押下を判定すると（ステップＳ２０４のＹ）、ナビゲーションをスタートさせる（ステップＳ２１７）。そして、ナビゲーションが終了すれば（ステップＳ２１８のＹ）、処理を終了する。ステップＳ２１７のナビゲーション処理について、後述する。
【００４１】
次いで、図４に示すように、リモコン２０１の制御部２５１は、通信ボタン２０５の押下を判定すると（ステップＳ２０５のＹ）、無線ユニット２５３によって、通信指令を分電盤１０１に送信し（ステップＳ２１９）、処理を終了する。
【００４２】
図５に示すように、分電盤１０１の制御部１５１は、通信指令の受信を判定すると（ステップＳ１０４のＹ）、通信ユニット１５５によって、本リモコン分電盤システム１１の需要家を特定する識別情報を伴う通報連絡を電力会社に行ない、処理を終了する。
【００４３】
図６は、リモコン２０１の制御部２５１が実行するナビゲーション処理の流れを示すフローチャートである。制御部２５１は、漏電ボタン２０４の押下を判定（ステップＳ２０４のＹ）、つまり、漏電遮断器の復旧を指示する遠隔操作がなされた場合、ナビゲーション処理として（ステップＳ２１７）、ナビゲーション画面をディスプレイ２０６に表示する（ステップＳ２１７−１）。ナビゲーション画面の初期表示には、例えば、「これから漏電遮断器の復旧を行ないます。画面の指示に従い操作を続けてください。」というようなガイダンスが示される。ガイダンスは、ディスプレイ２０６での可視表示や、音声ユニット２５２によるスピーカ２０８から音声出力による。
【００４４】
リモコン２０１の制御部２５１は、ナビゲーション画面の表示（ステップＳ２１７−１）に続き、安全ブレーカ１０３を全てオフにする処理を実行する（ステップＳ２１７−２）。この処理は、一例として、ディスプレイ２０６への誘導表示に応じてユーザにタッチパネル２０７を用いたタッチ指定を行なわせ、これに応じてリモコン２０１から分電盤１０１に全ての安全ブレーカ１０３をオフにするための駆動指令を無線出力させる、という処理である。別の一例として、リモコン２０１の制御部２５１が自ら、自動で、そのような全ての安全ブレーカ１０３をオフにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００４５】
リモコン２０１の制御部２５１は、ステップＳ２１７−２で実行される上記駆動指令に、分電盤１０１にステータスの返信を求めるステータス要求も伴わせる。
【００４６】
図５に示すように、分電盤１０１の制御部１５１は、上記ステップＳ２１７−２で実行される駆動指令の受信を判定すると（ステップＳ１０３のＹ）、その駆動指令に含まれている対象物（ここでは全ての安全ブレーカ１０３）の対応するアクチュエータ１５２を駆動する。これにより、分電盤１０１の全ての安全ブレーカ１０３をオンからオフに切り替えることができる。
【００４７】
また、上記ステップＳ２１７−２で実行される駆動指令にはステータス要求も伴われているので、分電盤１０１の制御部１５１は、安全ブレーカ１０３の駆動後、その状態をセンサ１５３でセンシングし、そのセンシング結果をリモコン２０１に返信する（ステップＳ１０６）。
【００４８】
続いて、図６に示すように、リモコン２０１の制御部２５１は、分電盤１０１から返信された安全ブレーカ１０３の状態を示すセンシング結果が適正であれば、漏電遮断器をオンにする処理を実行する（ステップＳ２１７−３）。この処理は、一例として、ディスプレイ２０６への誘導表示に応じてユーザにタッチパネル２０７を用いたタッチ指定を行なわせ、これに応じてリモコン２０１から分電盤１０１に漏電遮断器１０４をオンにするための駆動指令を無線出力させる、という処理である。別の一例として、リモコン２０１の制御部２５１が自ら、自動で、そのような漏電遮断器１０４をオンにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００４９】
リモコン２０１の制御部２５１は、ステップＳ２１７−３で実行される上記駆動指令に、分電盤１０１にステータスの返信を求めるステータス要求も伴わせる。
【００５０】
図５に示すように、分電盤１０１の制御部１５１は、上記ステップＳ２１７−３で実行される駆動指令の受信を判定すると（ステップＳ１０３のＹ）、その駆動指令に含まれている対象物（ここでは漏電遮断器１０４）の対応するアクチュエータ１５２を駆動する。これにより、分電盤１０１の漏電遮断器１０４をオフからオンに切り替えることができる。
【００５１】
また、上記ステップＳ２１７−３で実行される駆動指令にはステータス要求も伴われているので、分電盤１０１の制御部１５１は、漏電遮断器１０４の駆動後、その状態をセンサ１５３でセンシングし、そのセンシング結果をリモコン２０１に返信する（ステップＳ１０６）。
【００５２】
続いて、図６に示すように、リモコン２０１の制御部２５１は、分電盤１０１から返信された漏電遮断器１０４の状態を示すセンシング結果が適正であれば、１番〜６番までの安全ブレーカ１０３のうち、１番をオンにする処理を実行する（ステップＳ２１７−４）。この処理は、一例として、ディスプレイ２０６への誘導表示に応じてユーザにタッチパネル２０７を用いたタッチ指定を行なわせ、これに応じてリモコン２０１から分電盤１０１に１番の安全ブレーカ１０３をオンにするための駆動指令を無線出力させる、という処理である。別の一例として、リモコン２０１の制御部２５１が自ら、自動で、そのような１番の安全ブレーカ１０３をオンにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００５３】
リモコン２０１の制御部２５１は、ステップＳ２１７−４で実行される上記駆動指令に、分電盤１０１にステータスの返信を求めるステータス要求も伴わせる。
【００５４】
図５に示すように、分電盤１０１の制御部１５１は、上記ステップＳ２１７−４で実行される駆動指令の受信を判定すると（ステップＳ１０３のＹ）、その駆動指令に含まれている対象物（ここでは１番の安全ブレーカ１０３）の対応するアクチュエータ１５２を駆動する。これにより、１番の安全ブレーカ１０３をオンからオフに切り替えることができる。
【００５５】
また、上記ステップＳ２１７−４で実行される駆動指令にはステータス要求も伴われているので、分電盤１０１の制御部１５１は、１番の安全ブレーカ１０３の駆動後の状態をセンサ１５３でセンシングする。この際、１番の安全ブレーカ１０３が割り当てられている回路に漏電等の障害がなければ、漏電遮断器１０４はオンの状態を維持する。これに対して、１番の安全ブレーカ１０３が割り当てられている回路に漏電等の障害があれば、漏電遮断器１０４は自動動作してオフに切り替わる。制御部１５１は、センサ１５３のセンシング結果に基づいてそのような状態を監視するわけである。この場合、漏電遮断器１０４がオンの状態を維持したというセンシング結果は、漏電遮断器１０４が落ちた原因を含まないセンシング結果ということになり、漏電遮断器１０４が自動動作してオフに切り替わったというセンシング結果は、漏電遮断器１０４が落ちた原因を含むセンシング結果ということになる。そこで、制御部１５１は、そのようなセンシング結果をリモコン２０１に返信する（ステップＳ１０６）。
【００５６】
図６に示すように、リモコン２０１の制御部２５１は、分電盤１０１から受信したセンシング結果によって、１番の安全ブレーカ１０３が割り当てられている回路に漏電等の障害がないことを確認すると（ステップＳ２１７−５のＹ）、処理を次に進める。これに対して、制御部２５１は、分電盤１０１から受信したセンシング結果によって、１番の安全ブレーカ１０３が割り当てられている回路に漏電等の障害があったことを確認すると（ステップＳ２１７−５のＮ）、ディスプレイ２０６に対応策を報知する（ステップＳ２１７−１６）。対応策の報知は、例えば、「××付近の電気機器に漏電が発生している可能性があります。確認してください。確認できたら確認ボタンをタッチ指定し、確認できなければリモコンの通信ボタンを押してください。」というような内容となる。そして、制御部２５１は、問題が解消した場合、つまり、ディスプレイ２０６に表示した確認ボタン（図示せず）がタッチパネル２０７でタッチ指定されるか、通信ボタン２０５が押下されれば（ステップＳ２１７−１７のＹ）、処理を終了する。
【００５７】
続いて、図６に示すように、リモコン２０１の制御部２５１は、１番の安全ブレーカ１０３が割り当てられている回路に漏電等の障害がないことを確認すると（ステップＳ２１７−５のＹ）、次は、２番の安全ブレーカ１０３をオンにする処理を実行する（ステップＳ２１７−６）。この処理は、一例として、ディスプレイ２０６への誘導表示に応じてユーザにタッチパネル２０７を用いたタッチ指定を行なわせ、これに応じてリモコン２０１から分電盤１０１に２番の安全ブレーカ１０３をオンにするための駆動指令を無線出力させる、という処理である。別の一例として、リモコン２０１の制御部２５１が自ら、自動で、そのような２番の安全ブレーカ１０３をオンにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００５８】
リモコン２０１の制御部２５１は、ステップＳ２１７−６で実行される上記駆動指令に、分電盤１０１にステータスの返信を求めるステータス要求も伴わせる。
【００５９】
図５に示すように、分電盤１０１の制御部１５１は、上記ステップＳ２１７−６で実行される駆動指令の受信を判定すると（ステップＳ１０３のＹ）、その駆動指令に含まれている対象物（ここでは２番の安全ブレーカ１０３）の対応するアクチュエータ１５２を駆動する。これにより、２番の安全ブレーカ１０３をオンからオフに切り替えることができる。
【００６０】
また、上記ステップＳ２１７−６で実行される駆動指令にはステータス要求も伴われているので、分電盤１０１の制御部１５１は、２番の安全ブレーカ１０３の駆動後の状態をセンサ１５３でセンシングする。この際、２番の安全ブレーカ１０３が割り当てられている回路に漏電等の障害がなければ、漏電遮断器１０４はオンの状態を維持する。これに対して、２番の安全ブレーカ１０３が割り当てられている回路に漏電等の障害があれば、漏電遮断器１０４は自動動作してオフに切り替わる。制御部１５１は、センサ１５３のセンシング結果に基づいてそのような状態を監視するわけである。この場合、漏電遮断器１０４がオンの状態を維持したというセンシング結果は、漏電遮断器１０４が落ちた原因を含まないセンシング結果ということになり、漏電遮断器１０４が自動動作してオフに切り替わったというセンシング結果は、漏電遮断器１０４が落ちた原因を含むセンシング結果ということになる。そこで、制御部１５１は、そのようなセンシング結果をリモコン２０１に返信する（ステップＳ１０６）。
【００６１】
図６に示すように、リモコン２０１の制御部２５１は、分電盤１０１から受信したセンシング結果によって、２番の安全ブレーカ１０３が割り当てられている回路に漏電等の障害がないことを確認すると（ステップＳ２１７−７のＹ）、処理を次に進める。これに対して、制御部２５１は、分電盤１０１から受信したセンシング結果によって、２番の安全ブレーカ１０３が割り当てられている回路に漏電等の障害があったことを確認すると（ステップＳ２１７−７のＮ）、ディスプレイ２０６に対応策を報知する（ステップＳ２１７−１６）。対応策の報知は、例えば、「××付近の電気機器に漏電が発生している可能性があります。確認してください。確認できたら確認ボタンをタッチ指定し、確認できなければリモコンの通信ボタンを押してください。」というような内容となる。そして、制御部２５１は、問題が解消した場合、つまり、ディスプレイ２０６に表示した確認ボタン（図示せず）がタッチパネル２０７でタッチ指定されるか、通信ボタン２０５が押下されれば（ステップＳ２１７−１７のＹ）、処理を終了する。
【００６２】
続いて、図６に示すように、リモコン２０１の制御部２５１は、２番の安全ブレーカ１０３が割り当てられている回路に漏電等の障害がないことを確認すると（ステップＳ２１７−７のＹ）、次は、３番の安全ブレーカ１０３をオンにする処理を実行する（ステップＳ２１７−８）。この処理は、一例として、ディスプレイ２０６への誘導表示に応じてユーザにタッチパネル２０７を用いたタッチ指定を行なわせ、これに応じてリモコン２０１から分電盤１０１に３番の安全ブレーカ１０３をオンにするための駆動指令を無線出力させる、という処理である。別の一例として、リモコン２０１の制御部２５１が自ら、自動で、そのような３番の安全ブレーカ１０３をオンにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００６３】
リモコン２０１の制御部２５１は、ステップＳ２１７−８で実行される上記駆動指令に、分電盤１０１にステータスの返信を求めるステータス要求も伴わせる。
【００６４】
図５に示すように、分電盤１０１の制御部１５１は、上記ステップＳ２１７−８で実行される駆動指令の受信を判定すると（ステップＳ１０３のＹ）、その駆動指令に含まれている対象物（ここでは３番の安全ブレーカ１０３）の対応するアクチュエータ１５２を駆動する。これにより、３番の安全ブレーカ１０３をオンからオフに切り替えることができる。
【００６５】
また、上記ステップＳ２１７−８で実行される駆動指令にはステータス要求も伴われているので、分電盤１０１の制御部１５１は、３番の安全ブレーカ１０３の駆動後の状態をセンサ１５３でセンシングする。この際、３番の安全ブレーカ１０３が割り当てられている回路に漏電等の障害がなければ、漏電遮断器１０４はオンの状態を維持する。これに対して、３番の安全ブレーカ１０３が割り当てられている回路に漏電等の障害があれば、漏電遮断器１０４は自動動作してオフに切り替わる。制御部１５１は、センサ１５３のセンシング結果に基づいてそのような状態を監視するわけである。この場合、漏電遮断器１０４がオンの状態を維持したというセンシング結果は、漏電遮断器１０４が落ちた原因を含まないセンシング結果ということになり、漏電遮断器１０４が自動動作してオフに切り替わったというセンシング結果は、漏電遮断器１０４が落ちた原因を含むセンシング結果ということになる。そこで、制御部１５１は、そのようなセンシング結果をリモコン２０１に返信する（ステップＳ１０６）。
【００６６】
図６に示すように、リモコン２０１の制御部２５１は、分電盤１０１から受信したセンシング結果によって、３番の安全ブレーカ１０３が割り当てられている回路に漏電等の障害がないことを確認すると（ステップＳ２１７−９のＹ）、処理を次に進める。これに対して、制御部２５１は、分電盤１０１から受信したセンシング結果によって、３番の安全ブレーカ１０３が割り当てられている回路に漏電等の障害があったことを確認すると（ステップＳ２１７−９のＮ）、ディスプレイ２０６に対応策を報知する（ステップＳ２１７−１６）。対応策の報知は、例えば、「××付近の電気機器に漏電が発生している可能性があります。確認してください。確認できたら確認ボタンをタッチ指定し、確認できなければリモコンの通信ボタンを押してください。」というような内容となる。そして、制御部２５１は、問題が解消した場合、つまり、ディスプレイ２０６に表示した確認ボタン（図示せず）がタッチパネル２０７でタッチ指定されるか、通信ボタン２０５が押下されれば（ステップＳ２１７−１７のＹ）、処理を終了する。
【００６７】
続いて、図６に示すように、リモコン２０１の制御部２５１は、３番の安全ブレーカ１０３が割り当てられている回路に漏電等の障害がないことを確認すると（ステップＳ２１７−９のＹ）、次は、４番の安全ブレーカ１０３をオンにする処理を実行する（ステップＳ２１７−１０）。この処理は、一例として、ディスプレイ２０６への誘導表示に応じてユーザにタッチパネル２０７を用いたタッチ指定を行なわせ、これに応じてリモコン２０１から分電盤１０１に４番の安全ブレーカ１０３をオンにするための駆動指令を無線出力させる、という処理である。別の一例として、リモコン２０１の制御部２５１が自ら、自動で、そのような４番の安全ブレーカ１０３をオンにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００６８】
リモコン２０１の制御部２５１は、ステップＳ２１７−１０で実行される上記駆動指令に、分電盤１０１にステータスの返信を求めるステータス要求も伴わせる。
【００６９】
図５に示すように、分電盤１０１の制御部１５１は、上記ステップＳ２１７−１０で実行される駆動指令の受信を判定すると（ステップＳ１０３のＹ）、その駆動指令に含まれている対象物（ここでは４番の安全ブレーカ１０３）の対応するアクチュエータ１５２を駆動する。これにより、４番の安全ブレーカ１０３をオンからオフに切り替えることができる。
【００７０】
また、上記ステップＳ２１７−１０で実行される駆動指令にはステータス要求も伴われているので、分電盤１０１の制御部１５１は、４番の安全ブレーカ１０３の駆動後の状態をセンサ１５３でセンシングする。この際、４番の安全ブレーカ１０３が割り当てられている回路に漏電等の障害がなければ、漏電遮断器１０４はオンの状態を維持する。これに対して、４番の安全ブレーカ１０３が割り当てられている回路に漏電等の障害があれば、漏電遮断器１０４は自動動作してオフに切り替わる。制御部１５１は、センサ１５３のセンシング結果に基づいてそのような状態を監視するわけである。この場合、漏電遮断器１０４がオンの状態を維持したというセンシング結果は、漏電遮断器１０４が落ちた原因を含まないセンシング結果ということになり、漏電遮断器１０４が自動動作してオフに切り替わったというセンシング結果は、漏電遮断器１０４が落ちた原因を含むセンシング結果ということになる。そこで、制御部１５１は、そのようなセンシング結果をリモコン２０１に返信する（ステップＳ１０６）。
【００７１】
図６に示すように、リモコン２０１の制御部２５１は、分電盤１０１から受信したセンシング結果によって、４番の安全ブレーカ１０３が割り当てられている回路に漏電等の障害がないことを確認すると（ステップＳ２１７−１１のＹ）、処理を次に進める。これに対して、制御部２５１は、分電盤１０１から受信したセンシング結果によって、４番の安全ブレーカ１０３が割り当てられている回路に漏電等の障害があったことを確認すると（ステップＳ２１７−１１のＮ）、ディスプレイ２０６に対応策を報知する（ステップＳ２１７−１６）。対応策の報知は、例えば、「××付近の電気機器に漏電が発生している可能性があります。確認してください。確認できたら確認ボタンをタッチ指定し、確認できなければリモコンの通信ボタンを押してください。」というような内容となる。そして、制御部２５１は、問題が解消した場合、つまり、ディスプレイ２０６に表示した確認ボタン（図示せず）がタッチパネル２０７でタッチ指定されるか、通信ボタン２０５が押下されれば（ステップＳ２１７−１７のＹ）、処理を終了する。
【００７２】
続いて、図６に示すように、リモコン２０１の制御部２５１は、４番の安全ブレーカ１０３が割り当てられている回路に漏電等の障害がないことを確認すると（ステップＳ２１７−１１のＹ）、次は、５番の安全ブレーカ１０３をオンにする処理を実行する（ステップＳ２１７−１２）。この処理は、一例として、ディスプレイ２０６への誘導表示に応じてユーザにタッチパネル２０７を用いたタッチ指定を行なわせ、これに応じてリモコン２０１から分電盤１０１に５番の安全ブレーカ１０３をオンにするための駆動指令を無線出力させる、という処理である。別の一例として、リモコン２０１の制御部２５１が自ら、自動で、そのような５番の安全ブレーカ１０３をオンにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００７３】
リモコン２０１の制御部２５１は、ステップＳ２１７−１２で実行される上記駆動指令に、分電盤１０１にステータスの返信を求めるステータス要求も伴わせる。
【００７４】
図５に示すように、分電盤１０１の制御部１５１は、上記ステップＳ２１７−１２で実行される駆動指令の受信を判定すると（ステップＳ１０３のＹ）、その駆動指令に含まれている対象物（ここでは５番の安全ブレーカ１０３）の対応するアクチュエータ１５２を駆動する。これにより、５番の安全ブレーカ１０３をオンからオフに切り替えることができる。
【００７５】
また、上記ステップＳ２１７−１２で実行される駆動指令にはステータス要求も伴われているので、分電盤１０１の制御部１５１は、５番の安全ブレーカ１０３の駆動後の状態をセンサ１５３でセンシングする。この際、５番の安全ブレーカ１０３が割り当てられている回路に漏電等の障害がなければ、漏電遮断器１０４はオンの状態を維持する。これに対して、５番の安全ブレーカ１０３が割り当てられている回路に漏電等の障害があれば、漏電遮断器１０４は自動動作してオフに切り替わる。制御部１５１は、センサ１５３のセンシング結果に基づいてそのような状態を監視するわけである。この場合、漏電遮断器１０４がオンの状態を維持したというセンシング結果は、漏電遮断器１０４が落ちた原因を含まないセンシング結果ということになり、漏電遮断器１０４が自動動作してオフに切り替わったというセンシング結果は、漏電遮断器１０４が落ちた原因を含むセンシング結果ということになる。そこで、制御部１５１は、そのようなセンシング結果をリモコン２０１に返信する（ステップＳ１０６）。
【００７６】
図６に示すように、リモコン２０１の制御部２５１は、分電盤１０１から受信したセンシング結果によって、５番の安全ブレーカ１０３が割り当てられている回路に漏電等の障害がないことを確認すると（ステップＳ２１７−１３のＹ）、処理を次に進める。これに対して、制御部２５１は、分電盤１０１から受信したセンシング結果によって、５番の安全ブレーカ１０３が割り当てられている回路に漏電等の障害があったことを確認すると（ステップＳ２１７−１３のＮ）、ディスプレイ２０６に対応策を報知する（ステップＳ２１７−１６）。対応策の報知は、例えば、「××付近の電気機器に漏電が発生している可能性があります。確認してください。確認できたら確認ボタンをタッチ指定し、確認できなければリモコンの通信ボタンを押してください。」というような内容となる。そして、制御部２５１は、問題が解消した場合、つまり、ディスプレイ２０６に表示した確認ボタン（図示せず）がタッチパネル２０７でタッチ指定されるか、通信ボタン２０５が押下されれば（ステップＳ２１７−１７のＹ）、処理を終了する。
【００７７】
続いて、図６に示すように、リモコン２０１の制御部２５１は、５番の安全ブレーカ１０３が割り当てられている回路に漏電等の障害がないことを確認すると（ステップＳ２１７−１３のＹ）、次は、６番の安全ブレーカ１０３をオンにする処理を実行する（ステップＳ２１７−１４）。この処理は、一例として、ディスプレイ２０６への誘導表示に応じてユーザにタッチパネル２０７を用いたタッチ指定を行なわせ、これに応じてリモコン２０１から分電盤１０１に６番の安全ブレーカ１０３をオンにするための駆動指令を無線出力させる、という処理である。別の一例として、リモコン２０１の制御部２５１が自ら、自動で、そのような６番の安全ブレーカ１０３をオンにするための駆動指令をリモコン２０１から分電盤１０１に無線出力させる処理であってもよい。制御部２５１は、自動で駆動指令を無線出力する場合、その際に本来手動ですべき操作内容とこれを自動で行なったこととをディスプレイ２０６に表示したり、スピーカ２０８から音声ガイドしたりし、ユーザに知らせる。
【００７８】
リモコン２０１の制御部２５１は、ステップＳ２１７−１４で実行される上記駆動指令に、分電盤１０１にステータスの返信を求めるステータス要求も伴わせる。
【００７９】
図５に示すように、分電盤１０１の制御部１５１は、上記ステップＳ２１７−１４で実行される駆動指令の受信を判定すると（ステップＳ１０３のＹ）、その駆動指令に含まれている対象物（ここでは６番の安全ブレーカ１０３）の対応するアクチュエータ１５２を駆動する。これにより、６番の安全ブレーカ１０３をオンからオフに切り替えることができる。
【００８０】
また、上記ステップＳ２１７−１４で実行される駆動指令にはステータス要求も伴われているので、分電盤１０１の制御部１５１は、６番の安全ブレーカ１０３の駆動後の状態をセンサ１５３でセンシングする。この際、６番の安全ブレーカ１０３が割り当てられている回路に漏電等の障害がなければ、漏電遮断器１０４はオンの状態を維持する。これに対して、６番の安全ブレーカ１０３が割り当てられている回路に漏電等の障害があれば、漏電遮断器１０４は自動動作してオフに切り替わる。制御部１５１は、センサ１５３のセンシング結果に基づいてそのような状態を監視するわけである。この場合、漏電遮断器１０４がオンの状態を維持したというセンシング結果は、漏電遮断器１０４が落ちた原因を含まないセンシング結果ということになり、漏電遮断器１０４が自動動作してオフに切り替わったというセンシング結果は、漏電遮断器１０４が落ちた原因を含むセンシング結果ということになる。そこで、制御部１５１は、そのようなセンシング結果をリモコン２０１に返信する（ステップＳ１０６）。
【００８１】
図６に示すように、リモコン２０１の制御部２５１は、分電盤１０１から受信したセンシング結果によって、６番の安全ブレーカ１０３が割り当てられている回路に漏電等の障害がないことを確認すると（ステップＳ２１７−１５のＹ）、処理を次に進める。これに対して、制御部２５１は、分電盤１０１から受信したセンシング結果によって、６番の安全ブレーカ１０３が割り当てられている回路に漏電等の障害があったことを確認すると（ステップＳ２１７−１５のＮ）、ディスプレイ２０６に対応策を報知する（ステップＳ２１７−１６）。対応策の報知は、例えば、「××付近の電気機器に漏電が発生している可能性があります。確認してください。確認できたら確認ボタンをタッチ指定し、確認できなければリモコンの通信ボタンを押してください。」というような内容となる。そして、制御部２５１は、問題が解消した場合、つまり、ディスプレイ２０６に表示した確認ボタン（図示せず）がタッチパネル２０７でタッチ指定されるか、通信ボタン２０５が押下されれば（ステップＳ２１７−１７のＹ）、処理を終了する。
【００８２】
以上説明したように、本実施の形態によれば、サービスブレーカ１０２、安全ブレーカ１０３、または漏電遮断器１０４が落ちた場合、リモコン２０１と分電盤１０１との間で対話形式のガイダンス操作を進めていくことで、その復旧を誰でも容易に行ない得るようにできる。
【００８３】
また、本実施の形態によれば、リモコン２０１は、漏電遮断器１０４が落ちた原因を含むセンシング結果を受信した場合には、その対応策も併せて報知するので（図６のステップＳ２１７−１６参照）、より一層の復旧作業の容易化を図ることができる。
【００８４】
また、本実施の形態において、漏電発生時等に、対話形式のガイダンス操作を手動で行なうようにした場合には（図６のステップＳ２１７−４、ステップＳ２１７−６、ステップＳ２１７−８、ステップＳ２１７−１０、ステップＳ２１７−１２、ステップＳ２１７−１４参照）、漏電遮断器１０４が落ちた場合等の操作の疑似体験をユーザに体験させることができる。これにより、ユーザはその対処方法を学習することができるので、漏電発生時等の安全性向上に資することができる。
【００８５】
また、本実施の形態において、漏電発生時等に、対話形式のガイダンス操作を自動で行なうようにした場合には（図６のステップＳ２１７−４、ステップＳ２１７−６、ステップＳ２１７−８、ステップＳ２１７−１０、ステップＳ２１７−１２、ステップＳ２１７−１４参照）、漏電発生時等の復旧操作の簡略化を図ることができ、しかも、間違いのない復旧作業を確実に行なうことができる。
【００８６】
これに加えて、本実施の形態によれば、対話形式のガイダンス操作を自動で行なった場合には、その際に本来手動ですべき操作内容とこれを自動で行なったこととをディスプレイ２０６に表示したり、スピーカ２０８から音声ガイドしたりし、ユーザに知らせるようにしたので、ユーザはその対処方法を学習することができ、したがって、漏電発生時等の安全性向上に資することができる。
【符号の説明】
【００８７】
１０１  分電盤
１０３  安全ブレーカ
１０４  漏電遮断器
１５１  制御部（分電盤の情報処理部）
２０１  リモコン
２５１  制御部（リモコンの情報処理部）
【図１】
2011182532.tif 000003
【図２】
2011182532.tif 000004
【図３】
2011182532.tif 000005
【図４】
2011182532.tif 000006
【図５】
2011182532.tif 000007
【図６】
2011182532.tif 000008